【事件の表示】
　特願２００７−　４０２３２「電子部品実装用装置における撮像用の照明装置」拒絶査定不服審判事件〔平成２０年　９月　４日出願公開、特開２００８−２０５２２６〕について、次のとおり審決する。
【結　論】
　本件審判の請求は、成り立たない。
【理　由】
　
【１】手続の経緯
　
　本願は、平成１９年２月２１日の出願であって、平成２３年２月７日（起案日）付けで拒絶査定がなされ、これに対して、平成２３年４月１日に拒絶査定不服審判の請求がなされるとともに明細書及び特許請求の範囲に対する手続補正がなされたものである。
　その後、当審において、平成２３年７月２１日（起案日）付けで審尋がなされ、平成２３年９月６日に審尋に対する回答書が提出されたものである。
　
【２】平成２３年４月１日付け手続補正についての補正却下の決定
　
［補正却下の決定の結論］
　平成２３年４月１日付け手続補正（以下、「本件補正」という。）を却下する。
　
［理由］
　
１．本件補正の内容
　
　本件補正は、補正前の特許請求の範囲の請求項１に対し、以下のような補正を含むものである。なお、下線は、審判請求人が付した補正箇所である。
　
（１）本件補正前の請求項１（平成２３年１月２４日付け手続補正）
　「【請求項１】
　電子部品実装用装置においてカメラによる撮像対象となる基板に対して照明光を照射する電子部品実装用装置における撮像用の照明装置であって、
　前記基板と前記カメラとの間において前記基板の表面に対して略平行に位置し、前記基板と対向する側の面に光源部が配置された平板状の照明基板と、前記光源部を制御する照明制御部とを備え、
　前記光源部は、前記カメラの撮像光軸が貫通する撮像用の開口部の周囲に配置されて前記照明光をそれぞれ異なる照射角で前記基板の表面に対して照射する複数の個別光源部を有し、前記照明制御部は前記複数の個別光源部を個別に制御し、
　前記照明装置は、前記照明装置の厚みを薄くするために、単一の前記平板状の照明基板に、前記複数の個別光源部を配置したことを特徴とする電子部品実装用装置における撮像用の照明装置。」
　
（２）本件補正後の請求項１（平成２３年４月１日付け手続補正）
　「【請求項１】
　
部品供給部から電子部品を取り出して基板に移送搭載する搭載ヘッドに付随して設けられ、
　前記基板と前記カメラとの間において前記基板の表面に対して略平行に位置し、前記基板と対向する側の面に光源部が配置された平板状の照明基板と、前記光源部を制御する照明制御部とを備え、
　前記光源部は、前記カメラの撮像光軸が貫通する撮像用の開口部の周囲に配置されて前記照明光をそれぞれ異なる照射角で前記基板の表面に対して照射する複数の個別光源部を有し、前記照明制御部は前記複数の個別光源部を個別に制御し、
　前記照明装置は、前記照明装置の厚みを薄くするために、単一の前記平板状の照明基板に、前記複数の個別光源部を配置したことを特徴とする電子部品実装用装置における撮像用の照明装置。」
　
２．補正の適否
　
　上記補正は、請求項１に記載した発明を特定するために必要な事項について、本願の願書に最初に添付した明細書の段落【００１３】及び【００１５】の記載に基づき、本件補正前の撮像用の照明装置について「部品供給部から電子部品を取り出して基板に移送搭載する搭載ヘッドに付随して設けられ」との限定を付加するものである。
　すなわち、上記補正は、願書に最初に添付した明細書、特許請求の範囲又は図面に記載した事項の範囲内においてなされたものとして認めることができ、かつ、補正前の各請求項に記載した発明の産業上の利用分野及び解決しようとする課題を変更することのない範囲内において行われたものであって、特許請求の範囲の減縮を目的とするものに該当するものである。
　したがって、上記補正は、平成１８年法律第５５号改正附則第３条第１項によりなお従前の例によるとされる同法による改正前の特許法第１７条の２第４項第２号に規定された特許請求の範囲の減縮を目的とするものに該当するものであり、かつ、特許法第１７条の２第３項の規定に違反する新規事項を追加するものではない。
　以上のとおり、上記補正は特許請求の範囲の減縮を目的とする補正を含むものであるから、本件補正後の請求項１に係る発明（以下、「本願補正発明」という。）が特許出願の際独立して特許を受けることができるものであるか（平成１８年法律第５５号改正附則第３条第１項によりなお従前の例によるとされる同法による改正前の特許法第１７条の２第５項において準用する同法第１２６条第５項の規定に適合するか）について以下に検討する。
　
３．本願補正発明について
　
３−１．本願補正発明
　
　本願補正発明は、本件補正により補正された明細書、特許請求の範囲及び図面の記載からみて、上記「【２】１．（２）」に示した本件補正後の特許請求の範囲の請求項１に記載された事項により特定されるとおりのものであると認める。
　
３−２．引用刊行物とその記載事項
　
　　刊行物１：特開２０００−２２３９３号公報
　　刊行物２：特開平４−２４１４７６号公報
　
［刊行物１］
　原査定の拒絶の理由に引用された、本願の出願前に頒布された刊行物１（特開２０００−２２３９３号公報）には、「認識用照明装置」に関して、図面とともに、以下の事項が記載されている。
　
（ア）「【０００１】
【発明の属する技術分野】本発明は、ハンダ印刷機、表面実装機、プリント基板検査機等、プリント基板を製造する装置において、プリント基板に付されている位置基準マークを撮像して認識する場合や、表面実装機において基板実装後の検査のためにプリント基板上の電子部品を撮像して認識する場合、あるいは吸着用ヘッドに吸着された電子部品を撮像して認識する場合等に用いる認識用照明装置に関するものである。」
　
（イ）「【００２０】図１〜図３は本発明の装置を表面実装機においてプリント基板の認識に適用した場合の実装機全体の構造を概略的に示すものであり、これらの図において、実装機本体の基台１上には、プリント基板搬送用のコンベア２が配置され、プリント基板３がこのコンベア２上を搬送されて所定の基板設置位置で停止されるようになっている。上記コンベア２の側方には、電子部品供給部４が配置されている。この電子部品供給部４は電子部品供給用のフィーダーを備え、例えば多数列のテープフィーダー４ａを備えている。
【００２１】また、上記基台１の上方には、電子部品搭載用のヘッドユニット５が装備されている。このヘッドユニット５は、電子部品供給部４とプリント基板３が位置する電子部品装着部とにわたって移動可能とされ、当実施例ではＸ軸方向（コンベア２の方向）およびＹ軸方向（水平面上でＸ軸と直交する方向）に移動することができるようになっている。」
　
（ウ）「【００２６】さらに、上記ヘッドユニット５の側方には基板認識カメラ２７（撮像手段）が取付けられている。この基板認識カメラ２７は、実装時に基板位置の検出のため、プリント基板３の表面に付された位置基準マーク（フィデューシャルマーク）を撮像するものであり、また、必要に応じ、基板実装後の検査のためにプリント基板３上の電子部品を撮像するような場合にも利用されるようになっている。
【００２７】上記基板認識カメラ２７の下方には、撮像時に被写体（プリント基板の位置基準マーク等）に光を照射する照明装置３０が設けられている。
【００２８】図４〜図６は上記照明装置３０の構造を示している。これらの図において、照明装置３０は、赤外線発光部と可視光線発光部とを配設した光源を有し、当実施形態では照明装置本体ハウジング３１内の複数区域に光源が配設されている。また、光源と被写体４９との間にレンズ、プリズム、ミラーのうちの一乃至複数を用いた照射方向調整手段が配設され、当実施形態では後述のようにレンズ３６、ハーフミラー３７及び特殊形状のプリズム４６が配設されている。そして、照明装置の下方の被写体４９に光源からの光が照射されるようになっている。
【００２９】この照明装置３０の構造を具体的に説明する。照明装置３０の本体ハウジング３１は、上部壁３１ａと四方側壁３１ｂとで箱状に形成されるとともに、内部に光源等を支持するための支持壁３１ｃを有し、上部壁３１ａ及び支持壁３１ｃの上記カメラ２７に対応する位置には窓穴３２，３３が形成され、カメラ２７の軸線が上記窓穴３２，３３の中心を通るように配置されている。
【００３０】光源は本体ハウジング３１内の異なる区域に位置する３つの部分に分割されている。第１の部分は支持壁３１ｃの上方の空間内に設けられた光源３５である。この光源３５は、可視光線、例えば白色光を照射する白色光ＬＥＤからなり、カメラ２７の軸線に対して直交する一側方に位置しており、この光源３５からの光はレンズ３６及びハーフミラー３７を介してカメラ２７の軸線と平行な光線となり、窓穴３３及び後記プリズム４６の貫通孔４７を通って被写体４９に照射されるようになっている。
【００３１】第２の部分及び第３の部分は、上記支持壁３１ｃの下面側に配設された内外二重の環状配置の光源４０，４３であり、これらの光源４０，４３はカメラ２７の軸線を中心として同心状に配置されている。そして、第２の部分である内側の光源４０は、可視光線発光部として例えば白色光を照射する白色光ＬＥＤ４１と赤外線照射部としての赤外線ＬＥＤ４２とを複数個ずつ有し、これら白色光ＬＥＤ４１と赤外線ＬＥＤ４２とが交互に位置するように環状に配列されている。第３の部分である外側の光源４３も、白色光ＬＥＤ４４と赤外線ＬＥＤ４５とを複数個ずつ有し、これらが交互に位置するように環状に配列されている。
【００３２】これらの光源４０，４３からの光は、光源４０，４３の下方に位置する特殊形状のプリズム４６を介して被写体４９に照射される。このプリズム４６は、中心部に貫通孔４７を有するとともに、その周囲の内周寄り部分４６ａと外周側部分４６ｂとが異なった断面形状となっており、内周寄り部分４６ａは光源４０からの光を比較的小さい屈折角でカメラ軸線方向に屈曲させ、外周側部分４６ｂは光源４３からの光を比較的大きい屈折角でカメラ軸線方向に屈曲させるように形成されている。
【００３３】従って、被写体４９に対し、１番目の部分の光源３５からの光は入射角０°で照射され、２番目の部分の光源４０からの光は比較的小さい入射角で照射され、３番目の部分の光源４３からの光は比較的大きい入射角で照射されるようになっている。そして、被写体４９からの反射光は、貫通孔４７、窓穴３３、ハーフミラー３７および窓穴３２を通ってカメラ２７に入射されるようになっている。」
　
（エ）「【００３７】また、照明装置制御部５４は、照明装置３０の光源３５、光源４０の白色光ＬＥＤ４１、同赤外線ＬＥＤ４２、光源４３の白色光ＬＥＤ４４、同赤外線ＬＥＤ４５のそれぞれに対し、独立して光量の調節が可能な通電回路を有している。そして、被写体毎に予めメモリに記憶されている光量調節用データが読み出され、そのデータに基づき上記照明装置制御部５４により、各光源３５，４０，４３の光量の割合が被写体に応じた最適なバランスとなるように制御されるとともに、光源４０，４３における白色光ＬＥＤ４１，４４と赤外線ＬＥＤ４２，４５との光量の比率も被写体に応じて制御されるようになっている。」
　
（オ）図４及び上記記載事項（ウ）からみて、支持壁３１ｃは、プリント基板３（の被写体）と基板認識カメラ２７の間においてプリント基板３の表面に対して略平行に位置し、プリント基板３と対向する側の面に光源４０、４３が配置された平板状であることが把握される。
　
（カ）図４、図５及び上記記載事項（ウ）、（エ）からみて、光源４０、４３は、カメラ２７の軸線が中心を通る支持壁３１ｃの窓穴３３の周囲に配置され、プリズム４６によって照射する光をそれぞれ異なる入射角で被写体に照射される複数の光源であり、照明装置制御部５４は光源４０、４３を独立して光量の割合を最適なバランスに制御するものであることが把握される。
　
　そうすると、上記記載事項（ア）〜（カ）及び図面の記載からみて、上記刊行物１には次の発明（以下、「刊行物１発明」という。）が記載されているものと認められる。
　
　「電子部品供給部４から電子部品を吸着してプリント基板３が位置する電子部品装着部に移動可能なヘッドユニット５の側方に取り付けられた基板認識カメラ２７の下方に設けられ、表面実装機において実装時に基板認識カメラ２７がプリント基板３の表面に付された被写体を撮像するためにプリント基板３の被写体に光を照射する照明装置３０であって、
　プリント基板３と基板認識カメラ２７の間においてプリント基板３の表面に対して略平行に位置し、プリント基板３と対向する側の面に光源４０、４３が配置された平板状の支持壁３１ｃと、光源４０、４３を制御する照明装置制御部５４を備え、
　光源４０、４３は、カメラ２７の軸線が中心を通る支持壁３１ｃの窓穴３３の周囲に配置され、照射する光をプリズム４６によってそれぞれ異なる入射角で被写体に照射される複数の光源であり、照明装置制御部５４は光源４０、４３を独立して光量の割合を最適なバランスに制御し、
　照明装置３０は、支持壁３１ｃに白色光ＬＥＤと赤外線ＬＥＤからなる光源４０、４３を配置した、表面実装機における被写体に光を照射する照明装置３０。」
　
［刊行物２］
　原査定の拒絶の理由に引用された、本願の出願前に頒布された刊行物２（特開平４−２４１４７６号公報）には、「照明装置」に関して、図面とともに、以下の事項が記載されている。
　
（キ）「【０００１】
【産業上の利用分野】この発明はハイブリッドＩＣのワイヤ検査装置等に用いる照明装置に関するものである。」
　
（ク）「【０００７】
【発明が解決しようとする課題】従来の照明装置は以下のように構成されているので、ボンディングワイヤ１０の方向・高さが多様であり、基板・ＩＣチップの色・形状・表面状態・大きさも多様な複数のＩＣチップや、その他の部品を同一基板上に実装するハイブリッドＩＣの場合には、側面よりの照明では他のＩＣチップや、その他の部品により不用な影ができ、検査するワイヤに光があたらなくなる。また、色・形状・表面状態等が複雑なため、それぞれのワイヤ検査時において、他の部分よりの影響がワイヤごとに異なり、単に検査しているワイヤの側のみの光を減光するのでは不十分である。照明器具が検査するＩＣを包囲する形となるため、大きな基板の場合、照明器具がそれにともない大形化する。光源が大形化、各ワイヤに対して最良の照明ができない、などの問題があった。
【０００８】この発明は上記のような課題を解消するためになされたもので、ボンディングワイヤの方向が多様なハイブリッドＩＣのワイヤ検査に用いることのできる照明装置を得ることを目的とする。
【０００９】
【課題を解決するための手段】この発明に係る照明装置は複数の発光素子を配列して成るリング照明を部分的に点灯可能に構成し、このリング照明を複数個同心円状に配して、それぞれ検査対象に対する角度が異なるように成し、この複数のリング照明の点灯をコントロールする照明制御手段を設けたものである。」
　
（ケ）「【００１２】図１，図２において、１３は基板、９は基板１３上に実装されたＩＣチップ、１０は基板１３とＩＣチップ９とを接続している検査対象であるボンディングワイヤ、１４ａａ〜１４ｃｈは発光素子としてのＬＥＤランプ、１５ａ〜１５ｃは同心円状に配置されたＬＥＤランプ１４ａａ〜１４ａｈ，１４ｂａ〜１４ｂｈ，１４ｃａ〜１４ｃｈより成る環状の発光素子アレイとしてのＬＥＤアレイ、１６は照明対象である基板１３に対してそれぞれ照明角度の異なるようにＬＥＤアレイ１５ａ〜１５ｃを取付けた基板で、中央孔１６ａを有する。１８は基板１６，ＬＥＤアレイ１５ａ〜１５ｃ等から成る照明器、１１は基板１３上のボンディングワイヤ１０の画像を中央孔１６ａを通じて撮像するＩＴＶカメラ、１２はＩＴＶカメラ１１よりの画像信号を処理する画像処理装置、１７は画像処理装置１２より照明点燈パターンを入力し、照明器１８の各ＬＥＤランプ１４ａａ〜１４ｃｈを選択的に点燈させる照明制御電源である。なお、画像処理装置１２、照明制御電源１７により照明制御手段が構成される。」
　
（コ）「【００１６】また、上記実施例では、ＬＥＤアレイ１５ａ〜１５ｃを平面に配置したが、図３のように球面状の基板１６に各ＬＥＤアレイを配置してもよい。さらに図４のように、各ＬＥＤアレイ１５ａ〜１５ｃを高さが異なる３つの基板１６に配置してもよい。図３，図４の構成とすれば、より高角度からの照明が可能となる。」
　
３−３．発明の対比
　
　本願補正発明と刊行物１発明を対比する。
　刊行物１発明の「電子部品供給部４」は、その機能からみて、本願補正発明の「部品供給部」に相当し、以下同様に、「電子部品」は「電子部品」に相当し、「プリント基板３」は「基板」に相当し、「表面実装機」は「電子部品実装用装置」に相当し、「基板認識カメラ２７」は「カメラ」に相当し、「被写体」は「撮像対象となる基板」に相当し、「光」は「照明光」に相当し、「照明装置３０」は「撮像用の照明装置」に相当し、「光源４０、４３」は「光源部」に相当し、「支持壁３１ｃ」は「照明基板」に相当し、「窓穴３３」は「撮像用の開口部」に相当し、「照明装置制御部５４」は「照明制御部」に相当するものである。
　そうすると、刊行物１発明の「電子部品供給部４から電子部品を吸着してプリント基板３が位置する電子部品装着部に移動可能なヘッドユニット５の側方に取り付けられた基板認識カメラ２７の下方に設けられ、表面実装機において実装時に基板認識カメラ２７がプリント基板３の表面に付された被写体を撮像するためにプリント基板３の被写体に光を照射する照明装置３０であって」は、実質的に、本願補正発明の「部品供給部から電子部品を取り出して基板に移送搭載する搭載ヘッドに付随して設けられ、電子部品実装用装置においてカメラによる撮像対象となる基板に対して照明光を照射する電子部品実装用装置における撮像用の照明装置であって」に相当し、以下同様に、「プリント基板３と基板認識カメラ２７の間においてプリント基板３の表面に対して略平行に位置し、プリント基板３と対向する側の面に光源４０、４３が配置された平板状の支持壁３１ｃと、光源４０、４３を制御する照明装置制御部５４を備え」は、「前記基板と前記カメラとの間において前記基板の表面に対して略平行に位置し、前記基板と対向する側の面に光源部が配置された平板状の照明基板と、前記光源部を制御する照明制御部とを備え」に相当し、「照明装置制御部５４は光源４０、４３を独立して光量の割合を最適なバランスに制御し」は、「前記照明制御部は前記複数の個別光源部を個別に制御し」に相当し、「表面実装機における被写体に光を照射する照明装置３０」は、「電子部品実装用装置における撮像用の照明装置」に相当するものである。
　また、刊行物１発明の「光源４０、４３は、カメラ２７の軸線が中心を通る支持壁３１ｃの窓穴３３の周囲に配置され、照射する光をプリズム４６によってそれぞれ異なる入射角で被写体に照射される複数の光源であり」は、プリズムによって異なる入射角としている点について別途検討することとすると、本願補正発明の「前記光源部は、前記カメラの撮像光軸が貫通する撮像用の開口部の周囲に配置されて前記照明光をそれぞれ異なる照射角で前記基板の表面に対して照射する複数の個別光源部を有し」に相当するものである。
　さらに、刊行物１発明の「照明装置３０は、支持壁３１ｃに白色光ＬＥＤと赤外線ＬＥＤからなる光源４０、４３を配置した、」と、本願補正発明の「前記照明装置は、前記照明装置の厚みを薄くするために、単一の前記平板状の照明基板に、前記複数の個別光源部を配置した」とは、照明装置の厚みを薄くするためかどうかは別として、少なくとも「前記照明装置は、単一の前記平板状の照明基板に、前記複数の個別光源部を配置した」限りにおいて共通するものである。
　
　したがって、本願補正発明の用語にならってまとめると、両者は、
　「部品供給部から電子部品を取り出して基板に移送搭載する搭載ヘッドに付随して設けられ、電子部品実装用装置においてカメラによる撮像対象となる基板に対して照明光を照射する電子部品実装用装置における撮像用の照明装置であって、
　前記基板と前記カメラとの間において前記基板の表面に対して略平行に位置し、前記基板と対向する側の面に光源部が配置された平板状の照明基板と、前記光源部を制御する照明制御部とを備え、
　前記光源部は、前記カメラの撮像光軸が貫通する撮像用の開口部の周囲に配置されて前記照明光をそれぞれ異なる照射角で前記基板の表面に対して照射する複数の個別光源部を有し、前記照明制御部は前記複数の個別光源部を個別に制御し、
　前記照明装置は、単一の前記平板状の照明基板に、前記複数の個別光源部を配置した、電子部品実装用装置における撮像用の照明装置。」である点で一致し、以下の点で相違する。
　
［相違点１］
　本願補正発明は、照明光をそれぞれ異なる照射角で前記基板の表面に対して照射するためにプリズムを用いているか否か特定されたものではなく、かつ、前記照明装置は、「前記照明装置の厚みを薄くするために」、単一の前記平板状の照明基板に、前記複数の個別光源部を配置しているのに対し、刊行物１発明は、照射する光をプリズム４６によってそれぞれ異なる入射角で被写体に照射し、かつ、照明装置３０は、支持壁３１ｃに白色光ＬＥＤと赤外線ＬＥＤからなる光源４０、４３を配置したものである点。
　
３−４．当審の判断
　
（１）相違点１について
　本願補正発明は、上記照明光をそれぞれ異なる照射角で照射するためにプリズムを用いているか否か特定されたものではないが、プリズムを用いて光の角度を変えたものを含むとすると、この点に関して刊行物１発明との差異はない。仮に、上記照明光をそれぞれ異なる照射角で照射するためにＬＥＤの照明角度を変えたものだとしても、ＬＥＤの照明角度を変えて照射角を異なるようにすることは上記刊行物２の図２や図４に記載されていることに照らせば、刊行物１発明に上記刊行物２に記載された事項を適用して照明光をそれぞれ異なる照射角で照射することは当業者が容易に推考できたことである。
　さらに、刊行物２には、単一の平板状の基板１６に複数の個別光源部に相当する環状のＬＥＤアレイ１５ａ〜１５ｃを配置した照明装置（図２及び上記記載事項（ケ））、及び高さが異なる３つの基板１６に環状のＬＥＤアレイ１５ａ〜１５ｃを配置した照明装置が記載されており（図４及び上記記載事項（コ））、これらの配置は選択できるものであることが示唆されている（上記記載事項（コ））。そして、上記刊行物２の図２の構成は、構造上、図４の構成に比べて照明装置の厚みが薄いものであることは明らかである。そうすると、刊行物１発明に上記刊行物２の図２に記載された照明装置の構成を選択して適用することにより、単一の平板状の照明基板に複数の個別光源部を配置して照明装置の厚みを薄くすることは当業者が容易に推考できたことである。
　したがって、刊行物１発明に上記刊行物２に記載された発明を適用して上記相違点１に係る本願補正発明の構成とすることは、当業者が容易に想到し得たことである。
　
（２）効果について
　本願補正発明が奏する照明装置の高さ方向の寸法を小さくしてコンパクト化するといった効果は、刊行物１及び２に記載された発明から当業者が予測できるものである。
　
（３）まとめ
　本願補正発明は、刊行物１及び２に記載された発明に基づいて当業者が容易に発明をすることができたものである。
　
（４）審判請求人の主張について
　審判請求人は、平成２３年４月１日付け審判請求書において、本願補正発明は「前記照明装置の厚みを薄くするために、単一の前記平板状の照明基板に、前記複数の個別光源部を配置した」（審判請求書の【本願発明が特許されるべき理由】４．の項参照）構成が上記刊行物１、２には開示も示唆もないことを主張して、本願は特許されるべき旨主張している。
　しかしながら、単一の平板状の照明基板に複数の個別光源部を配置した照明装置は刊行物２に記載されており、当該照明装置はその構造上厚みが薄くなっているものであることは当業者が直ちに理解できることであり、照明装置をコンパクト化することは一般的な課題であるから、照明装置の厚みを薄くするために上記刊行物２に記載された照明基板の構成を刊行物１発明に適用して本願補正発明のようにすることは当業者が容易に想到できたことである。
　また、審判請求人は、審尋に対する平成２３年９月６日付けの回答書において、同旨のことを主張しているが、上記の判断を左右する主張ではない。
　よって、審判請求人の主張は採用できない。
　
４．むすび
　
　以上のとおり、本願補正発明、すなわち本件補正後の請求項１に係る発明は、刊行物１及び２に記載された発明に基づいて当業者が容易に発明をすることができたものであるから、特許法第２９条第２項の規定により、特許出願の際独立して特許を受けることができないものである。
　よって、本願補正発明、すなわち本件補正後の請求項１に係る発明は、平成１８年法律第５５号改正附則第３条第１項によりなお従前の例によるとされる同法による改正前の特許法第１７条の２第５項において準用する同法第１２６条第５項の規定に違反するものである。
　したがって、本件補正は、他の補正事項を検討するまでもなく、同法第１５９条第１項において読み替えて準用する同法第５３条第１項の規定により却下すべきものである。
　
【３】本願発明について
　
１．本願発明
　
　平成２３年４月１日付け手続補正は上記のとおり却下されたので、本願の請求項１及び２に係る発明は、平成２３年１月２４日付け手続補正により補正された明細書、特許請求の範囲及び図面の記載からみて、その特許請求の範囲の請求項１及び２に記載された事項により特定されるとおりのものであると認められるところ、その請求項１に係る発明（以下、「本願発明」という。）は以下のとおりのものである。
　
　「【請求項１】
　電子部品実装用装置においてカメラによる撮像対象となる基板に対して照明光を照射する電子部品実装用装置における撮像用の照明装置であって、
　前記基板と前記カメラとの間において前記基板の表面に対して略平行に位置し、前記基板と対向する側の面に光源部が配置された平板状の照明基板と、前記光源部を制御する照明制御部とを備え、
　前記光源部は、前記カメラの撮像光軸が貫通する撮像用の開口部の周囲に配置されて前記照明光をそれぞれ異なる照射角で前記基板の表面に対して照射する複数の個別光源部を有し、前記照明制御部は前記複数の個別光源部を個別に制御し、
　前記照明装置は、前記照明装置の厚みを薄くするために、単一の前記平板状の照明基板に、前記複数の個別光源部を配置したことを特徴とする電子部品実装用装置における撮像用の照明装置。」
　
２．引用刊行物とその記載事項
　
　これに対して、原査定の拒絶の理由に引用された刊行物は次のとおりであり、その記載事項は、上記【２】３−２．のとおりである。
　
　　刊行物１：特開２０００−２２３９３号公報
　　刊行物２：特開平４−２４１４７６号公報
　
３．対比・判断
　
　本願発明は、上記【２】で検討した本願補正発明から、撮像用の照明装置について「部品供給部から電子部品を取り出して基板に移送搭載する搭載ヘッドに付随して設けられ」との限定を省いたものである。
　そうすると、本願発明の発明特定事項をすべて含み、審判請求時の手続補正によってさらに構成を限定した本願補正発明が、上記「【２】３−３．発明の対比」、及び「【２】３−４．当審の判断」に示したとおり、刊行物１及び２に記載された発明に基づいて当業者が容易に発明をすることができたものであるから、上記限定を省いた本願発明も実質的に同様の理由により、刊行物１及び２に記載された発明に基づいて当業者が容易に発明をすることができたものである。
　
４．むすび
　
　以上のとおり、本願発明、すなわち、本願の請求項１に係る発明は、刊行物１及び２に記載された発明に基づいて当業者が容易に発明をすることができたものであるから、特許法第２９条第２項の規定により特許を受けることができない。
　そして、本願の請求項１に係る発明が特許を受けることができないものである以上、本願の請求項２に係る発明について検討するまでもなく、本願は拒絶すべきものである。
　よって、結論のとおり審決する。